(57)【要約】【課題】  スナップムービー（所定時間記録動画像）撮影において、記録したいシーンを見逃すことを防止する。【解決手段】  所定時間撮像画の記録を行うスナップムービー記録モードに設定されているときに、記録開始／停止キー１０９の操作後の所定時間、撮影画像を記録するモードに加えて、記録開始／停止キー１０９の操作前の所定時間の過去の撮影画像を記録するモードを設ける。好ましくは、撮影シーンモードに応じて切替えるか、撮影者が撮影シーンモード毎に選択可能とする。【選択図】  図１
2011044898.tif 000002
【特許請求の範囲】
【請求項１】
被写体を撮影して画像信号に変換する撮像手段と、
前記画像信号を処理して映像信号に変換する信号処理手段と、
前記映像信号を記録媒体に記録する記録手段と、
記録を指示する指示手段と、
前記録手段の記録動作を制御する制御手段
とを具備し、所定の記録時間の前記映像信号を前記記録媒体に記録する撮像装置であって、
前記制御手段は、前記記録手段の記録動作として、前記指示手段による操作を行う前の前記映像信号を記録する指示前記録動作と、前記指示手段による操作の後の前記映像信号を記録する指示後記録動作を選択出来る
ことを特徴とする撮像装置。
【請求項２】
前記指示前記録動作は、前記指示手段による操作を行う前の前記所定の記録時間の前記映像信号を記録する記録動作であることを特徴とする請求項１に記載の撮像装置。
【請求項３】
前記指示前記録動作は、前記指示手段による操作の前後を含む前記所定の記録時間の前記映像信号を記録する記録動作であることを特徴とする請求項１に記載の撮像装置。
【請求項４】
更に、撮影シーンを設定する撮影シーン設定手段を具備し、
前記制御手段は、特定の撮影シーンに対して、前記記録手段の記録動作を前記指示前記録動作とし、前記特定の撮影シーンを除く撮影シーンに対して、前記記録手段の記録動作を前記指示後記録動作とする
ことを特徴とする請求項１乃至３の何れか１項に記載の撮像装置。
【請求項５】
更に、
撮影シーンを設定する撮影シーン設定手段と、
特定の撮影シーンに対して前記指示前記録動作と前記指示後記録動作の一方を前記制御手段に指示する手段
とを具備し、
前記制御手段は、特定の撮影シーンに対して前記記録手段の記録動作を前記指示前記録動作と前記指示後記録動作の内の指示された方とし、前記特定の撮影シーンを除く撮影シーンに対して、前記記録手段の記録動作を前記指示後記録動作とする
ことを特徴とする請求項１乃至３の何れか１項に記載の撮像装置。
【発明の詳細な説明】
【技術分野】
【０００１】
本発明は、予め決められた撮影時間の動画像を撮像する撮像装置に関する。
【背景技術】
【０００２】
【先行技術文献】
【特許文献】
【０００３】
【特許文献１】特開平７−１５６９３号公報
【０００４】
近年、動画像の記録媒体として、従来から知られている磁気テープに加え、光ディスク、ハードディスクドライブ又はフラッシュメモリ等のランダムアクセス可能な記録媒体が普及している。動画撮影を主目的とするデジタルビデオカメラが静止画撮影機能を具備し、他方、デジタルスチルカメラが、動画撮影機能を具備するようになってきている。
【０００５】
これらのデジタルカメラでは、短時間の動画ファイル（以下、スナップムービーという）を作成し、電子メールなどに添付して送信したり、Ｗｅｂページにアップロードして公開することが容易である。
【０００６】
通常の動画撮影では、記録媒体の容量が許す限り、ユーザの記録停止の指示があるまで連続して動画像を記録媒体に記録する。これに対し、スナップムービーの作成を目的として、記録開始から所定時間（例えば５秒間）の記録の後、自動的に記録を停止するスナップムービー記録モードを選択できる撮像装置が知られている（特許文献１参照）。
【発明の概要】
【発明が解決しようとする課題】
【０００７】
スナップムービー記録モードでは、従来、以下のような問題が生じることがあった。例えば打上げ花火の撮影を行う場合、通常、撮影者は花火が最も広がるまで撮影を行いたいが、その手前で所定時間の記録が終了し、最も撮影したいシーンを逃してしまうことがある。また、スポーツ撮影では競技者の未来の行動を予測することが困難であり、最も撮影したいシーン（例えば、サッカーのシュートシーン等）を逃してしまうことがある。
【０００８】
本発明は、このような問題を解決する撮像装置を提示することを目的とする。
【課題を解決するための手段】
【０００９】
本発明に係る撮像装置は、被写体を撮影して画像信号に変換する撮像手段と、前記画像信号を処理して映像信号に変換する信号処理手段と、前記映像信号を記録媒体に記録する記録手段と、記録を指示する指示手段と、前記録手段の記録動作を制御する制御手段とを具備し、所定の記録時間の前記映像信号を前記記録媒体に記録する撮像装置であって、前記制御手段は、前記記録手段の記録動作として、前記指示手段による操作を行う前の前記映像信号を記録する指示前記録動作と、前記指示手段による操作の後の前記映像信号を記録する指示後記録動作を選択出来ることを特徴とする。
【発明の効果】
【００１０】
本発明では、所定時間の撮影画像を記録するスナップムービー記録モードにおいて、撮影者の操作後の所定時間の撮影画像を記録するか、操作前又は操作時点を含む所定時間の過去の撮影画像を記録するかを選択できるようにした。これにより、撮影者が撮影したいシーンの前に所定時間が経過してしまい、撮影したいシーンを撮り逃してしまうことを防止することができる。
【図面の簡単な説明】
【００１１】
【図１】本発明の一実施例の概略構成ブロック図である。
【図２】本実施例の特徴的な動作フローチャートを示す。
【図３】本実施例の別の特徴的な動作フローチャートである。
【図４】警告の表示画面例である。
【図５】別の警告の表示画面例である。
【図６】本実施例の更に別の特徴的な動作フローチャートである。
【図７】記録方式の選択画面例である。
【発明を実施するための形態】
【００１２】
以下、図面を参照して、本発明の実施例を詳細に説明する。
【実施例１】
【００１３】
図１は、本発明に係る撮像装置の第１実施例の概略構成ブロック図を示す。
【００１４】
図１に示す実施例の構成と基本動作を説明する。撮像光学系１０１は、撮像素子１０２の撮像面に光学像を入射する。撮像素子１０２は、撮像光学系１０１による撮像面上の光学像を光電変換し、画像信号を出力する。カメラ信号処理部１０３は、撮像素子１０２から出力される撮像信号を信号処理し、ＮＴＳＣなどの映像信号に変換する。
【００１５】
レコーダ信号処理部１０４は、カメラ信号処理部１０３からの映像信号をビデオ出力回路１０５に出力すると同時に、表示回路１１３を制御して表示デバイス１１４に映像信号の画像を表示させる。レコーダ信号処理部１０４は、記録モードでは、記録回路１０６を制御して記録媒体１０７に映像信号を記録させる。記録媒体１０７は、ハードディスク又は半導体メモリなどの情報記録媒体である。レコーダ信号処理部１０４は、再生モードでは、記録回路１０６を制御して、記録媒体１０７から記録される映像信号を読み出す。レコーダ信号処理部１０４は、このように記録媒体１０７から再生された映像信号をビデオ出力回路１０５に出力し、表示回路１１３を制御して表示デバイス１１４に再生画像を表示させる。
【００１６】
ビデオ出力回路１０５は、テレビ等の外部の表示装置に映像信号を出力する。表示回路１１３は表示デバイス１１４を駆動する。表示デバイス１１４は、液晶表示素子（ＬＣＤ）などの文字や画像を表示するデバイスである。表示回路１１３は、記録しようとする画像や再生画像以外に、各種設定のためのメニュー等を表示デバイス１１４に表示する。
【００１７】
システムコントローラ１０８は、撮像装置全体を制御する。記録開始／停止キー１０９は、撮像画像の記録開始と記録停止をシステムコントローラ１０８に指示する操作部材である。通常／スナップ切替えキー１１０は、記録モードにおける通常モードとスナップムービー記録モードの切り替えをシステムコントローラ１０８に指示する操作部材である。より一般的な呼び方として、ユーザ操作で記録を停止する記録モードを手動記録停止モード又は手動停止モードと呼び、一定時間の経過により自動的に記録を停止する記録モードを自動記録停止モード又は自動停止モードと呼ぶ。本実施例のスナップムービー記録モードは自動停止モードに対応し、通常モードは、手動停止モードに対応する。
【００１８】
メニューキー１１１は、撮像装置の各種設定を行うためのメニューの表示をシステムコントローラ１０８に指示する操作部材である。操作キー１１２は十字キー及び決定キーから構成され、メニューキー１１１の操作によって表示されるメニュー画面上で種々の設定項目を選択及び決定するのに使用される。例えば、ポートレート、スポーツ、打ち上げ花火等の撮影シーンモードの設定、ＡＦ（オートフォーカス）／ＭＦ（マニュアルフォーカス）の設定、ホワイトバランスの設定等がある。メニューキー１１１は、特許請求の範囲の撮影シーン設定手段に相当する。システムコントローラ１０８は、キー１０９〜１１２の操作を検出し、検出したキー操作に応じて各部を制御する。
【００１９】
記録モードでは、撮像素子１０２は、撮像光学系１０１による被写体像を光電変換し、画像信号をカメラ信号処理部１０３に供給する。カメラ信号処理部１０３は、撮像素子１０２からの画像信号を信号処理し、映像信号をレコーダ信号処理部１０４に供給する。レコーダ信号処理部１０４は、カメラ信号処理部１０３からの映像信号をビデオ出力回路１０５と表示回路１１３に供給する。表示回路１１３は、レコーダ信号処理部１０４からの映像信号に従い表示デバイス１１４を駆動し、撮像素子１０２からの画像信号に相当する画像を表示させる。これにより、撮影者は、表示デバイス１１４の画面に表示される画像で、被写体の構図を確認できる。
【００２０】
通常／スナップ切替えキー１１０で通常モードに設定されている場合、システムコントローラ１０８は、記録開始／停止キー１０９の操作（記録開始操作）に応じて、レコーダ信号処理部１０４及び記録回路１０６に記録動作を開始するように指示する。この指示に応じて、レコーダ信号処理部１０４は、カメラ信号処理部１０３からの映像信号を記録回路１０６に供給し、記録回路１０６は、記録用に処理して記録媒体１０７に記録する。そして、記録開始／停止キー１０９の操作（記録停止操作）を検出すると、システムコントローラ１０８は、レコーダ信号処理部１０４と記録回路１０６に記録動作を停止させる。
【００２１】
スナップムービー記録モードに設定されている場合、本実施例では、記録開始／停止キー１０９の操作前の一定時間分の撮像画像を記録するモードと、記録開始／停止キー１０９の操作からの一定時間分の撮像画像を記録するモードを選択可能である。本明細書では、前者を、記録開始／停止キー１０９の操作前の過去の撮像画像を遡及して記録することから指示前記録又は指示前記録動作と呼ぶ。他方、後者を、記録開始／停止キー１０９の操作に応じて、この操作以後の撮像画像を記録することから指示後記録又は指示後記録動作と呼ぶ。指示前記録の場合、レコーダ信号処理部１０４は、カメラ信号処理部１０３からの映像信号（撮像画像）を記録時間分だけ、内部メモリに常時記憶し、更新する。そして、、記録開始／停止キー１０９の操作に応じて、内部メモリに記憶される映像信号を記録回路１０６に読み出し、記録媒体１０７に記録させる。指示後記録では、レコーダ信号処理部１０４は、記録開始／停止キー１０９の操作に応じて、カメラ信号処理部１０３からの映像信号（撮像画像）を、所定の記録時間分だけ記録回路１０６に供給し、記録媒体１０７に記録させる。
【００２２】
図２は、スナップムービー記録モードにおける本実施例の特徴的な動作のフローチャートを示す。図２に示す処理は、所定のタイミングで繰り返し実行される。図２では、スナップムービー記録モードで、撮影シーンモードとして打上げ花火モード又はスポーツモードが設定される場合、指示前記録が強制される。
【００２３】
システムコントローラ１０８は、撮影シーンモードとしてスポーツモード又は打上げ花火モードの設定を判定する（Ｓ１１）。ここで、撮影シーンモードとは、設定されたシーンに応じて撮影条件（例えばシャッタ速度・撮像感度・絞り値・ホワイトバランス等）が予めプログラム又は設定されている撮影モードである。撮影シーンモードの情報は、システムコントローラ１０８からレコーダ信号処理部１０４に送信される。
【００２４】
スポーツモード又は打上げ花火モードが設定されている場合（Ｓ１１）、レコーダ信号処理部１０４は、カメラ信号処理部１０３から出力される映像信号をレコーダ信号処理部１０４の内部メモリ（不図示）に記録する（Ｓ１２）。以後、撮影シーンモードとしてスポーツモード又は打上げ花火モードが設定されている間は、記録開始／停止キー１０９の操作が行われるまで（Ｓ１３）、映像信号の内部メモリへの記録を継続する。ただし、内部メモリに記録される映像信号は所定時間分に制限され、これを越えて過去の映像信号は消去される。即ち、現時点から過去の一定時間分の映像信号が内部メモリに保持される。
【００２５】
記録開始／停止キー１０９の操作を検出しない場合（Ｓ１３）、図２に示すフローは終了する。記録開始／停止キー１０９の操作を検出すると（Ｓ１３）、システムコントローラ１０８は、レコーダ信号処理部１０４に指示して内部メモリへの映像信号の記録を停止させる（Ｓ１４）。更に、レコーダ信号処理部１０４は、内部メモリに記録した映像信号データを、記録回路１０６に出力し、記録回路１０６が記録媒体１０７に記録する（Ｓ１５）。ステップＳ１５の処理を行った後、図２に示す処理は終了となる。
【００２６】
スポーツモード又は打上げ花火モードが設定されていない場合（Ｓ１１）、システムコントローラ１０８は、記録開始／停止キー１０９の操作の有無を調べる（Ｓ１６）。記録開始／停止キー１０９の操作が行われていない場合（Ｓ１６）、図２に示す処理は終了となる。記録開始／停止キー１０９の操作が行われた場合（Ｓ１６）、記録開始／停止キー１０９の操作から所定時間の間の、カメラ信号処理部１０３からの映像信号が記録媒体１０７に記録される（Ｓ１７）。すなわち、システムコントローラ１０８は、レコーダ信号処理部１０４を制御して、記録開始／停止キー１０９の操作から所定時間の間の、カメラ信号処理部１０３からの映像信号データを記録回路１０６に供給させる。記録回路１０６は、レコーダ信号処理部１０４からの所定時間分の映像信号データを記録媒体１０７に記録する。ステップＳ１７の後、図２に示す処理は終了となる。
【００２７】
打上げ花火モードでは指示前記録になるので、撮影者は花火が最も撮影を行いたい状態（例えば花火が最も広がった状態）を待って記録開始／停止キー１０９を操作すればよい。また、スポーツモードでも、最も撮影したいシーン（例えばサッカーのシュートシーン）が終わった直後に記録開始／停止キー１０９の操作を行えばよい。指示前記録により、実際に記録したいシーンを逃すことを防止できる。
【００２８】
このように、本実施例では、記録開始／停止キー１０９の操作後の所定時間分の撮影動画像を記録するのか、記録開始／停止キー１０９の操作前から遡る所定時間分の撮影動画像を記録するかを選択出来る。
【００２９】
指示前記録を強制する撮影シーンモードとして、打上げ花火モードとスポーツモードを例に説明したが、本発明が、このような撮影対象に限定されないことは明らかである。また、指示前記録か指示後記録かを、撮影シーンモード毎にカスタム設定できるようにしてもよい。
【実施例２】
【００３０】
図３は、図１に示す実施例の、スナップムービー記録モードにおける別の動作フローチャートを示す。図３に示す処理は、所定のタイミングで繰り返し行われる。ここでは、指示前記録と指示後記録との間の変更を撮影者に警告するようにして、勘違いによる撮影失敗を防ぐようにした。
【００３１】
システムコントローラ１０８は、撮影シーンモードとしてスポーツモード又は打上げ花火モードの設定を判定する（Ｓ２１）。ここで、撮影シーンモードとは、設定されたシーンに応じて撮影条件（例えばシャッタ速度・撮像感度・絞り値・ホワイトバランス等）が予めプログラム又は設定されている撮影モードである。撮影シーンモードの情報は、システムコントローラ１０８からレコーダ信号処理部１０４に送信される。
【００３２】
スポーツモード又は打上げ花火モードが設定されている場合（Ｓ２１）、システムコントローラ１０８は、フラグＰｒｅＲｅｃＦｌａｇが０にリセットされているか否かを判定する（Ｓ２２）。フラグＰｒｅＲｅｃＦｌａｇは、１の場合、指示前記録を示し、０の場合、指示後記録を示す。なお、フラグＰｒｅＲｅｃＦｌａｇは、システムコントローラ１０８内部のレジスタ等に記憶され、初期値は０にリセットされている。また、スナップムービー記録モードではなく通常記録モードに設定されているとき、このフラグＰｒｅＲｅｃＦｌａｇは０にリセットされる。
【００３３】
フラグＰｒｅＲｅｃＦｌａｇが０にリセットされている場合（Ｓ２２）、システムコントローラ１０８は、フラグＰｒｅＲｅｃＦｌａｇを１にセットする（Ｓ２３）。そして、システムコントローラ１０８はレコーダ信号処理部１０４に警告＃１を表示させる（Ｓ２４）。フラグＰｒｅＲｅｃＦｌａｇが０にリセットされていない場合、即ち１にセットされていた場合（Ｓ２２）、ステップＳ２３及びＳ２４は迂回され、ステップＳ２５に移行する。
【００３４】
レコーダ信号処理部１０４は、カメラ信号処理部１０３から出力される映像信号を、レコーダ信号処理部１０４の内部メモリ（不図示）に記録する（Ｓ２５）。以後、撮影シーンモードとしてスポーツモード又は打上げ花火モードが設定されている間は、記録開始／停止キー１０９の操作が行われるまで（Ｓ２６）、映像信号の内部メモリへの記録を継続する。ただし、内部メモリに記録される映像信号は所定時間分に制限され、これを越えて過去の映像信号は消去される。即ち、現時点から過去の一定時間分の映像信号が内部メモリにキャッシュされる。
【００３５】
記録開始／停止キー１０９の操作を検出しない場合（Ｓ２６）、図３に示すフローは終了する。記録開始／停止キー１０９の操作を検出すると（Ｓ２６）、システムコントローラ１０８は、レコーダ信号処理部１０４に指示して内部メモリへの映像信号の記録を停止させる（Ｓ２７）。レコーダ信号処理部１０４は、内部メモリに記録した映像信号データを、記録回路１０６に出力し、記録回路１０６が記録媒体１０７に記録する（Ｓ２８）。ステップＳ２８の処理を行った後、図３に示す処理は終了となる。
【００３６】
スポーツモード又は打上げ花火モードの設定が行われていない場合（Ｓ２１）、システムコントローラ１０８は、フラグＰｒｅＲｅｃＦｌａｇが１にセットされているか否かを判定する（Ｓ２９）。フラグＰｒｅＲｅｃＦｌａｇが１にセットされている場合（Ｓ２９）、システムコントローラ１０８は、フラグＰｒｅＲｅｃＦｌａｇを０にリセットする（Ｓ３０）。そして、システムコントローラ１０８はレコーダ信号処理部１０４に警告＃２を表示させる（Ｓ３１）。フラグＰｒｅＲｅｃＦｌａｇが１にセットされていない場合、即ち０にセットされていた場合（Ｓ２９）、ステップＳ３０及びＳ３１は迂回され、ステップＳ３２に移行する。
【００３７】
システムコントローラ１０８は、記録開始／停止キー１０９の操作の有無を調べる（Ｓ３２）。記録開始／停止キー１０９の操作が行われていない場合（Ｓ３２）、図３に示す処理は終了となる。記録開始／停止キー１０９の操作が行われた場合（Ｓ３２）、記録開始／停止キー１０９の操作から所定時間の間の、カメラ信号処理部１０３からの映像信号が記録媒体１０７に記録される（Ｓ３３）。すなわち、システムコントローラ１０８は、レコーダ信号処理部１０４を制御して、記録開始／停止キー１０９の操作から所定時間の間の、カメラ信号処理部１０３からの映像信号データを記録回路１０６に供給させる。記録回路１０６は、レコーダ信号処理部１０４からの所定時間分の映像信号データを記録媒体１０７に記録する。ステップＳ３３の後、図３に示す処理は終了となる。
【００３８】
ここで、フラググＰｒｅＲｅｃＦｌａｇ及びステップＳ２２〜Ｓ２４，Ｓ２９〜Ｓ３１の作用を説明する。スナップムービー記録モードで、かつ撮影シーンモードとしてスポーツモード又は打上げ花火モードが設定されているとき（Ｓ２１）、フラグＰｒｅＲｅｃＦｌａｇは１にセットされ（Ｓ２３）、それ以外のときは０にリセットされる（Ｓ３０）。
【００３９】
従って、ステップＳ２２でフラグＰｒｅＲｅｃＦｌａｇが０であることは、指示後記録から指示前記録に切り替えられたことを意味する。このような切替えは、撮影者の混乱を招く可能性が高いので、本実施例では、この切替えを撮影者に報知する警告を表示デバイス１１４で表示するようにした（Ｓ２４）。図４は、ステップＳ２４における警告表示の一例を示す。撮影シーンモードの一覧２０１が、メニューキー１１１と操作キー１１２の操作により表示デバイス１１４に表示される。撮影シーンモードを選択するための選択枠２０２は、操作キー１１２により移動可能である。警告文２０３が、ステップＳ２４で表示される。警告文２０３は、記録開始／停止キー１０９の操作前の５秒間の映像信号データが記録されることを撮影者に示している。「５秒」は、スナップムービー記録モードの記録時間の一例である。
【００４０】
他方、ステップＳ２９でフラグＰｒｅＲｅｃＦｌａｇが１であることは、指示前記録から指示後記録に切り替えられたことを意味する。このような切替えは、撮影者の混乱を招く可能性が高いので、この切替えを撮影者に報知する警告を表示デバイス１１４に表示するようにした（Ｓ３１）。図５は、ステップＳ３１における警告表示の一例を示す。警告文２０４は、記録開始／停止キー１０９の操作後の５秒間の映像信号データが記録されることを撮影者に示している。５秒」は、スナップムービー記録モードの記録時間の一例である。
【００４１】
本実施例では、スナップムービー記録モードにおいて、記録開始／停止キー１０９の操作後の所定時間の撮像画像を記録するか、記録開始／停止キー１０９の操作前の所定時間の過去の撮像画像を記録するかを、撮影シーンモードに応じて切り替える。この切替えの際に警告を表示するので、記録方法の切替えによる撮影者の混乱を防ぐことができる。
【実施例３】
【００４２】
図６は、図１に示す実施例の、スナップムービー記録モードにおける別の動作フローチャートを示す。図６に示す処理は、所定のタイミングで繰り返し行われる。撮影シーンモードの選択に応じて、指示前記録か指示後記録かを選択出来るようにした。
【００４３】
システムコントローラ１０８は、撮影シーンモードとしてスポーツモード又は打上げ花火モードの設定を判定する（Ｓ４１）。ここで、撮影シーンモードとは、設定されたシーンに応じて撮影条件（例えばシャッタ速度・撮像感度・絞り値・ホワイトバランス等）が予めプログラム又は設定されている撮影モードである。撮影シーンモードの情報は、システムコントローラ１０８からレコーダ信号処理部１０４に送信される。
【００４４】
スポーツモード又は打上げ花火モードが設定されている場合（Ｓ４１）、システムコントローラ１０８は、撮影シーンモードの切替えが行われたか否かを判定する（Ｓ４２）。撮影者が撮影シーンモードをポートレートモードから打上げ花火モードに切り替えた直後の、ステップＳ４２の判定では、撮影シーンモードの切替えがあったことになる。撮影シーンモードが打上げ花火モードとスポーツモードの間で切り替えられた直後も、同様に、撮影シーンモードの切替えがあったと判定される。ステップＳ４２で撮影シーンモードの切替えがあったと判定された後は、撮影シーンモードが再度、切り替えられるまでは、ステップＳ４２では、撮影シーンモードの切替えがあったとは判定されない。
【００４５】
撮影シーンモードの切替えが行われたと判定された場合（Ｓ４２）、システムコントローラ１０８はレコーダ信号処理部１０４に警告表示を指示し、レコーダ信号処理部１０４は、図７に例示する選択画面を表示デバイス１１４に表示させる（Ｓ４３）。
【００４６】
図７は、ステップＳ４３における表示デバイス１１４の表示例である。図７に示す例では、撮影シーンモードとして「打ち上げ花火」が選択されている。この選択に応じて、「ボタンを押す前の映像を記録」（選択肢１とする）と「ボタンを押した後の映像を記録」（選択肢２とする）の２つの選択肢を示す画面２０５がポップアップする。選択枠２０６が、選択肢のうち一方を選択するようにデフォルトで配置され、操作キー１１２の操作によって他方の選択肢に変更可能である。選択肢１は、スナップムービー記録モードにおいて、指示前記録を設定するための選択肢である。選択肢２は、スナップムービー記録モードにおいて、指示後記録を設定するための選択肢である。システムコントローラ１０８は、図７に示すような画面上で、選択操作の終了を待つ（Ｓ４４）。
【００４７】
撮影シーンモードの切替えが行われていないと判定された場合（Ｓ４２）、ステップＳ４３及びＳ４４は実行されず、ステップＳ４５に移行する。
【００４８】
システムコントローラ１０８は、ステップＳ４４での選択を判定する（Ｓ４５）。指示前記録が選択されていた場合（Ｓ４５）、レコーダ信号処理部１０４は、カメラ信号処理部１０３から出力される映像信号を、レコーダ信号処理部１０４の内部メモリ（不図示）に記録する（Ｓ４６）。以後、撮影シーンモードとしてスポーツモード又は打上げ花火モードが設定されている間は、記録開始／停止キー１０９の操作が行われるまで（Ｓ４６）、映像信号の内部メモリへの記録を継続する。ただし、内部メモリに記録される映像信号は所定時間分に制限され、これを越えて過去の映像信号は消去される。即ち、現時点から過去の一定時間分の映像信号が内部メモリにキャッシュされる。
【００４９】
記録開始／停止キー１０９の操作を検出しない場合（Ｓ４７）、図６に示すフローは終了する。記録開始／停止キー１０９の操作を検出すると（Ｓ４７）、システムコントローラ１０８は、レコーダ信号処理部１０４に指示して内部メモリへの映像信号の記録を停止させる（Ｓ４８）。レコーダ信号処理部１０４は、内部メモリに記録した映像信号データを、記録回路１０６に出力し、記録回路１０６が記録媒体１０７に記録する（Ｓ４９）。ステップＳ４９の処理を行った後、図６に示す処理は終了となる。
【００５０】
スポーツモード又は打上げ花火モードが設定されていない場合（Ｓ４１）、または、指示前記録でない場合（Ｓ４５）、システムコントローラ１０８は、記録開始／停止キー１０９の操作の有無を調べる（Ｓ５０）。記録開始／停止キー１０９の操作が行われていない場合（Ｓ５０）、図６に示す処理は終了となる。記録開始／停止キー１０９の操作が行われた場合（Ｓ５０）、記録開始／停止キー１０９の操作から所定時間の間の、カメラ信号処理部１０３からの映像信号が記録媒体１０７に記録される（Ｓ５１）。すなわち、システムコントローラ１０８は、レコーダ信号処理部１０４を制御して、記録開始／停止キー１０９の操作から所定時間の間の、カメラ信号処理部１０３からの映像信号データを記録回路１０６に供給させる。記録回路１０６は、レコーダ信号処理部１０４からの所定時間分の映像信号データを記録媒体１０７に記録する。ステップＳ５１の後、図６に示す処理は終了となる。
【００５１】
スナップムービー記録モードで指示前記録とするか指示後記録とするかを、特定の撮影シーンモードに対して設定時に選択可能とした。これにより、撮影者の利便性が向上する。
【００５２】
ステップＳ１２とステップＳ１４、ステップＳ２５とステップＳ２７、及びステップＳ４６とステップ４８の処理は、以下に示すように変更しても良い。即ち、ステップＳ１２，Ｓ２５，Ｓ２７において、時間Ｔ１分の映像信号データを上限として映像信号を循環的に内部メモリに記録する。そして、ステップＳ１４，Ｓ２７，Ｓ４８において、時間Ｔ２分の映像データを上記時間Ｔ１分の映像信号データに続いて内部メモリに記録する。時間Ｔ１と時間Ｔ２の和はスナップムービーの記録時間に等しいとする。この場合、記録開始／停止キー１０９の操作前の時間Ｔ１分の過去の撮影画像と、記録開始／停止キー１０９の操作後の時間Ｔ２分の撮影画像を記録できる。換言すると、記録の指示の前後を含む所定期間の撮影画像が記録される。この方法でも、上述した実施例と同様に、記録したいシーンを逃すことを防止できる。時間Ｔ１及びＴ２の配分は、例えば、撮影者がメニューキー１１１及び操作キー１１２の操作によって設定できるようにする。
【符号の説明】
【００５３】
１０２：撮像素子
１０３：カメラ信号処理部
１０４：レコーダ信号処理部
１０６：記録回路
１０７：記録媒体
【図１】
2011044898.tif 000003
【図２】
2011044898.tif 000004
【図３】
2011044898.tif 000005
【図４】
2011044898.tif 000006
【図５】
2011044898.tif 000007
【図６】
2011044898.tif 000008
【図７】
2011044898.tif 000009